(57)【要約】【課題】入浴者が湯に浸かっている場合においても、安全に、少量の湯で素早く浴槽内の湯温を上げることができる入浴装置を提供する。【解決手段】入浴装置１は、浴槽１１と、浴槽１１内に設けられて湯を吐出する複数の吐出口２４ａと、浴槽１１内に設けられて、複数の吐出口２４ａから吐出される湯を撹拌する撹拌手段２０と、を備える。【選択図】図３
2016007420.tif 000002
【特許請求の範囲】
【請求項１】
浴槽と、
前記浴槽内に設けられて湯を吐出する複数の吐出口と、
前記浴槽内に設けられて、前記複数の吐出口から吐出される湯を撹拌する撹拌手段と、
を備えることを特徴とする入浴装置。
【請求項２】
前記撹拌手段は、前記吐出口から吐出される湯の流れを利用して作動することを特徴とする請求項１に記載の入浴装置。
【請求項３】
前記撹拌手段は、回動する羽根部を備えることを特徴とする請求項１又は２に記載の入浴装置。
【請求項４】
前記撹拌手段は、
前記浴槽の内壁に回動可能に支持される回動軸部と、
前記回動軸部から延出して前記吐出口が設けられるパイプ部と、
前記パイプ部に設けられる前記羽根部と、
を備えることを特徴とする請求項３に記載の入浴装置。
【請求項５】
前記複数の吐出口は、前記浴槽の内壁に形成され、
前記羽根部は、前記吐出口に対向するように配置されることを特徴とする請求項３に記載の入浴装置。
【請求項６】
前記撹拌手段は、前記浴槽の底部に設けられることを特徴とする請求項１から５のいずれかに記載の入浴装置。
【請求項７】
前記浴槽内には、入浴者と前記吐出口との間に介在物が配置されることを特徴とする請求項１から６のいずれかに記載の入浴装置。
【請求項８】
入浴者を載せた担架を載せる担架台を更に備え、
前記介在物には、前記担架台が含まれることを特徴とする請求項７に記載の入浴装置。
【発明の詳細な説明】
【技術分野】
【０００１】
本発明は入浴装置に関する。
【背景技術】
【０００２】
従来、浴槽への給湯の際における入浴者の火傷を防止する仕組みを備えた入浴装置が知られている。給湯による入浴者の火傷を防止する技術として、例えば、給湯口から給湯できる湯の上限温度を決めておき、当該上限温度を超える湯を給湯しないように給湯部を制御する技術が知られている。当該技術では、浴槽内の湯温が低い場合に、給湯により湯温を上げようとしても、徐々にしか湯温を上げることができない。このために、当該技術では、湯温を適温にするまでに、長い時間と多くの湯が必要になり、入浴者に満足のいく入浴を提供できないばかりか、経済的にも非効率である。
【０００３】
上記欠点を解決する技術として、例えば特許文献１に開示される技術が知られている。特許文献１においては、入浴者を載置する入浴担架が浴槽内に存在するか、浴槽外に存在するかを判断して、入浴担架が浴槽外にある場合に限って、入浴に適した温度より高温の湯を供給できるように構成している。当該技術によれば、入浴担架が浴槽外にある場合に高温の湯を浴槽内に供給して、少量の湯で浴槽内の湯温を素早く適温にすることが可能である。
【０００４】
また、上記欠点を解決する技術として、例えば特許文献２に開示される技術も知られている。特許文献２においては、浴槽の水を取り出して加熱手段からの湯と混合して浴槽に注湯する構成が開示されている。当該技術によれば、加熱手段からの高温の湯を安全な温度に低下させてから浴槽に注湯できると共に、浴槽内の湯温を適温にするために浴槽に注湯する湯量を少なく抑えることができる。
【先行技術文献】
【特許文献】
【０００５】
【特許文献１】特開２００６−２３０４５７号公報
【特許文献２】特開２００７−３０９６１５号公報
【発明の概要】
【発明が解決しようとする課題】
【０００６】
しかしながら、特許文献１の構成では、入浴者が浴槽内の湯に浸かっている場合には、湯温の低下に適切に対応できない。このために、長い時間入浴したい入浴者は、入浴中に寒さを感じることがある。また、特許文献２の構成では、加熱手段からの湯を安全な温度で浴槽に注湯する設備の構造が複雑になり、入浴装置の大型化が懸念される。
【０００７】
以上の点に鑑みて、本発明の目的は、入浴者が湯に浸かっている場合においても、安全に、少量の湯で素早く浴槽内の湯温を上げることができる入浴装置を提供することである。また、本発明の他の目的は、前述のような機能を備える入浴装置を大型化することなく提供することである。
【課題を解決するための手段】
【０００８】
上記目的を達成するために本発明の入浴装置は、浴槽と、前記浴槽内に設けられて湯を吐出する複数の吐出口と、前記浴槽内に設けられて、前記複数の吐出口から吐出される湯を撹拌する撹拌手段と、を備える構成（第１の構成）になっている。なお、前記吐出口のサイズは小径であるのが好ましい。また、前記吐出口は、高温水と低温水とをミキシングして得られる適温の湯を浴槽に大量に給湯可能に設けられる給湯口とは別に設けられ、当該給湯口よりもサイズが小さいのが好ましい。前記適温の湯は、入浴者が湯に浸かるのに適した温度（例えば３８℃以上４２℃以下）の湯のことである。
【０００９】
本構成によれば、浴槽内に高温の湯（前記適温の湯よりも高温の湯）を分散して少量ずつ入れることが可能である。そして、分散して浴槽内に入れた熱い湯を撹拌手段で撹拌して、浴槽内の湯全体の温度を均一に上げることが可能である。このために、本構成によれば、浴槽内に入浴者が居る状態においても、少量の熱い湯で素早く、安全に浴槽内の湯温を上げることが可能である。
【００１０】
上記第１の構成の入浴装置において、前記撹拌手段は、前記吐出口から吐出される湯の流れを利用して作動する構成（第２の構成）であるのが好ましい。本構成によれば、撹拌手段を作動させるための駆動源（例えばモーター等）を配置する必要がないために、装置の大型化を避けられると共に、経済性にも優れる。
【００１１】
上記第１又は第２の構成の入浴装置において、前記撹拌手段は、回動する羽根部を備える構成（第３の構成）であってよい。本構成によれば、羽根部の回動を利用して浴槽内の湯を撹拌することができる。
【００１２】
上記第３の構成の入浴装置において、前記撹拌手段は、前記浴槽の内壁に回動可能に支持される回動軸部と、前記回動軸部から延出して前記吐出口が設けられるパイプ部と、前記パイプ部に設けられる前記羽根部と、を備える構成（第４の構成）であってよい。本構成によれば、撹拌手段に複数の吐出口が設けられるために、装置全体の構造を複雑にせずに済み、装置全体のサイズをコンパクトにし易い。
【００１３】
上記第３の構成の入浴装置において、前記複数の吐出口は、前記浴槽の内壁に形成され、前記羽根部は、前記吐出口に対向するように配置される構成（第５の構成）であってもよい。本構成によれば、撹拌手段の構造をシンプルにし易い。本構成では、前記吐出口は噴流ノズルによって構成されるのが好ましい。
【００１４】
上記第１から第５のいずれかの構成の入浴装置において、前記撹拌手段は、前記浴槽の底部に設けられる構成（第６の構成）であってよい。本構成によれば、撹拌手段が邪魔になり難い。
【００１５】
上記第１から第６のいずれかの構成の入浴装置において、前記浴槽内には、入浴者と前記吐出口との間に介在物が配置される構成（第７の構成）であるのが好ましい。本構成によれば、吐出口から吐出された熱い湯によって入浴者が火傷を負う可能性を低減できる。
【００１６】
上記第７の構成の入浴装置は、入浴者を載せた担架を載せる担架台を更に備え、前記介在物には、前記担架台が含まれる構成（第８の構成）であるのが好ましい。本構成によれば、高齢者や身体障害者等の体が不自由で介助が必要な者を快適に入浴させることが可能な入浴装置を提供できる。
【発明の効果】
【００１７】
本発明によれば、入浴者が湯に浸かっている場合においても、安全に、少量の湯で素早く浴槽内の湯温を上げることができる入浴装置を提供できる。また、本発明によれば、前述のような機能を備える入浴装置を大型化することなく提供可能である。
【図面の簡単な説明】
【００１８】
【図１】本発明の実施形態に係る入浴装置の構成を示す概略上面図
【図２】本発明の実施形態に係る入浴装置の構成を示す概略側面図
【図３】本発明の実施形態に係る入浴装置を利用して入浴者が入浴している状態を示す概略図
【図４】本発明の実施形態に係る入浴装置が備える撹拌手段の構成を示す概略図
【図５】本発明の実施形態に係る入浴装置において、浴槽内の湯温を上げるために備えられる制御系の構成を示すブロック図
【図６】本発明の実施形態に係る入浴装置において、浴槽内に入浴者が居る状態で、浴槽内の湯温を上げる手順の一例を示すフローチャート
【図７】本発明の実施形態に係る入浴装置の変形例を説明するための概略図
【発明を実施するための形態】
【００１９】
以下、本発明の実施形態に係る入浴装置について、図面を参照しながら詳細に説明する。なお、本発明の実施形態に係る入浴装置は、高齢者や身体障害者等の体が不自由で介助が必要な者（要介助者）を入浴させるのに好適な装置である。ただし、本発明は、要介助者を入浴させるのに好適な入浴装置以外に適用されても構わない。
＜入浴装置の概略構成＞
【００２０】
まず、本発明の実施形態に係る入浴装置の概略構成について、図１から図３を参照しながら説明する。図１は、本発明の実施形態に係る入浴装置１の構成を示す概略上面図である。図２は、本発明の実施形態に係る入浴装置１の構成を示す概略側面図である。図３は、本発明の実施形態に係る入浴装置１を利用して入浴者が入浴している状態を示す概略図である。なお、図３においては、浴槽１１内の状態が理解し易いように、入浴装置１の側面を構成する一部の部材が省略されている。
【００２１】
図１から図３に示すように、入浴装置１は、床Ｆ上に固定配置される架台１０と、この架台１０に対して昇降可能に設けられる浴槽１１とを備えている。なお、図１及び図２は、浴槽１１が下がった状態を示しており、図３は、浴槽１１が上がった状態を示している。図１及び図２に示す浴槽１１が下がった状態で、入浴者Ｍが載せられた担架Ｔがストレッチャー（不図示）から浴槽１１上に移送される。また、図３に示す浴槽１１が上がった状態で、入浴者Ｍは浴槽１１内の湯に浸かる（入浴する）ことができる。
【００２２】
架台１０の略中央部には、円柱状の支柱１２が立設されている（例えば図２参照；図２においては、支柱１２は本来見えないために破線で示されている）。この支柱１２は、浴槽１１の底壁１１ａを液密に貫通している。浴槽１１は、不図示の昇降装置によって、支柱１２に沿って昇降可能になっている。なお、浴槽１１を昇降させる昇降装置の構成は、特に限定されるものではないが、例えば電動機を利用して作動する油圧装置が利用されてよい。
【００２３】
支柱１２の上端には、上面視略矩形状の担架台１３が固定されている。担架台１３の長手方向（図１から図３において左右方向）の両端部には、それぞれ、浴槽１１の幅方向（図１において上下方向、図２及び図３において紙面と垂直な方向）に水平に延びるガイドレール１４が設けられている。一対のガイドレール１４は、互いに同一の高さ位置に、平行となるように配置されている。
【００２４】
なお、担架台１３上には、入浴者Ｍを載せた担架Ｔをストレッチャー（不図示）から浴槽１１に移送する際における介助者の労力を軽減可能とするオートスライド機構１５が設けられている。オートスライド機構１５の構成は公知であるために、ここでは説明を省略する。オートスライド機構１５は、場合によっては設けられなくても構わない。
【００２５】
その他、架台１０には、浴槽１１の側面に横付けされるストレッチャー（不図示）を所定の位置に位置決めするための位置決めガイド部１６が設けられている。また、浴槽１１の上縁には、例えば介助者が入浴装置１に対する指示を入力するための操作部１７が設けられている。操作部１７には、例えば表示パネルや操作ボタン等が含まれる。また、入浴装置１には、浴槽１１内に湯を供給するための給湯装置（不図示）が設けられている。給湯装置には、ボイラーによって温められた高温水と低温水（例えば水道水）とをミキシングして、適温水（例えば操作部１７によって設定された温度の湯）とした後に浴槽１１に供給する設備も含まれる。適温水（適温の湯）は、浴槽１１の内壁上部に設けられる給湯口１８から浴槽１１内に吐出される。給湯口１８は、浴槽１１内になるべく短時間で湯を溜められるように、そのサイズは比較的大きく設けられている。
＜入浴装置を用いた入浴フロー例＞
【００２６】
ここで、上述の入浴装置１を使用して、要介助者を入浴させる際のフロー例について、簡単に説明しておく。
【００２７】
まず、要介助者（入浴者）が、ベッド等からストレッチャー（不図示）に搭載される担架Ｔ（図３参照）上に移乗される。そして、要介助者が載せられたストレッチャーが、介助者（不図示）によって入浴装置１が設置される浴室に運ばれる。介助者は、入浴装置１の側面に設けられた位置決めガイド部１６を利用して、ストレッチャーを入浴装置１横の所定の位置に配置（位置決め）する。
【００２８】
次に、介助者は、一対のガイドレール１４及びオートスライド機構１５を利用して、担架Ｔをストレッチャーから担架台１３上に移送する。この後、介助者は、入浴装置１の操作部１７を操作して浴槽１１を支柱１２に沿って所定の位置まで上昇させる。浴槽１１の上昇により、担架Ｔを浴槽１１の中に位置させて、要介助者を浴槽１１内の湯に浸からせることができる（図３参照）。なお、本例では、浴槽１１を上昇させる前に、給湯口１８から吐出された湯（上述の適温水）が浴槽１１内に溜められている。浴槽１１内に湯を溜めるための操作には、例えば操作部１７が利用される。
【００２９】
入浴が済むと、介助者は操作部１７を操作して、浴槽１１を支柱１２に沿って所定の位置まで下降させる。そして、介助者は、一対のガイドレール１４及びオートスライド機構１５を利用して、担架Ｔを担架台１３からストレッチャー上に移送する。これにより、入浴が完了する。
＜浴槽内の湯温を安全且つ効率的に上げるための工夫＞
【００３０】
ところで、浴槽１１内の湯に浸かった入浴者が、その好みによって湯温を上げて欲しいと要求する場合がある。また、入浴時間が長くなると、湯温が低下するために、湯温を上げる必要が生じる場合がある。更に、例えば冬季などには、入浴当初は湯温をぬるめにしておき、入浴中に湯温を上げた方が、入浴者は快適に入浴できる。これらの場合には、いずれも、入浴者が浴槽１１内に入浴した状態で湯温を上げる必要がある。浴槽１１の上部に設けられる給湯口１８から熱い湯（例えば４２℃を超える湯）を出すと、入浴者Ｍが火傷する可能性がある。また、入浴者Ｍが火傷しない程度の湯（例えば３８℃以上４２℃以下の湯）を供給していては適温になるまでに多くの湯と時間が必要になる。このような点を考慮して、入浴装置１においては、浴槽１１内の湯温を安全且つ効率的に上げるための工夫が施されている。以下、これについて説明する。
【００３１】
図３に示すように、浴槽１１の底壁１１ａ（底部）には、浴槽１１内の湯を撹拌可能な撹拌手段２０が設けられている。なお、撹拌手段２０は、支柱１２と干渉しない位置に設けられている。本実施形態では、撹拌手段２０を１つとしているが、撹拌手段２０は複数であっても構わない。
【００３２】
図４は、本発明の実施形態に係る入浴装置１が備える撹拌手段２０の構成を示す概略図である。図４（ａ）は、撹拌手段２０の上面図である。図４（ｂ）は、撹拌手段２０の側面図である。図４（ｃ）は、図４（ａ）のＡ−Ａ位置における断面図である。なお、図４（ｂ）及び図４（ｃ）には、理解を容易とするために撹拌手段２０以外の部分も示されている。
【００３３】
浴槽１１の底壁１１ａに取り付けられる撹拌手段２０は、その一部が底壁１１ａを液密に貫通した構造を有する。撹拌手段２０は、浴槽１１の底壁１１ａに対して回動可能に取り付けられる回動軸部２１と、底壁１１ａの下側で高温水（例えばボイラーで沸かされた熱い湯）を供給する管３４に接続される内部管２２と、逆止弁２３とを含む。回動軸部２１の外周には、その周方向に開口２１ａが略９０°おきに、計４つ形成されている。回動軸部２１内には、内部管２２から逆止弁２３を介して供給される高温水を、開口２１ａへと導く水路２１ｂも形成されている。逆止弁２３が存在するために、開口２１ａから水路２１ｂへと入った水が管３４へと逆流することは防止される。
【００３４】
回動軸部２１の外周には、その周方向にパイプ部２４が略９０°おきに、計４つ取り付けられている。４つのパイプ部２４は、いずれも、その一端部が回動軸部２１の外周に設けられる開口２１ａを覆うように配置されている。換言すると、４つのパイプ部２４は、いずれも回動軸部２１の側面から延出するように設けられている。
【００３５】
各パイプ部２４の側面には、複数の小径の吐出口２４ａが長手方向に一列に並んだ状態で形成されている。また、各パイプ部２４の他端部には蓋２４ｂが被せられている。回動軸部２１の開口２１ａからパイプ部２４内へと噴出された高温水は、各吐出口２４ａから外部へと吐出される。各吐出口２４ａから吐出される水の吐出方向は、略水平方向である。なお、吐出口２４ａのサイズは、給湯口１８のサイズよりも小さく、少量の湯が吐出される。
【００３６】
また、各パイプ部２４には、その長手方向の略全域に亘って撹拌用の羽根部２５が取り付けられている。撹拌用の羽根部２５は、吐出口２４ａの上部から斜め上方に延び出している。浴槽１１内に湯が溜められた状態で、各吐出口２４ａから湯（高温水）が吐出されると、その反動によって各パイプ部２４が回動する（図４（ａ）に破線矢印で示す方向に回動する）。当該回動によって羽根部２５が回動されるために、浴槽１１内の湯が撹拌される。
【００３７】
なお、本実施形態においては、望ましい構成として、ネジ止め式のノブ２６を緩めることによって、回動軸部２１とともに４つのパイプ部２４が浴槽１１から取り外せる構成を採用している。また、望ましい構成として、各パイプ部２４の蓋２４ｂを取り外せる構成を採用している。このために、逆止弁２３や各パイプ部２４の分解清掃やメンテナンスが容易である。また、本実施形態においては、パイプ部２４及び羽根部２５の数を４つずつとしているが、これらの数は適宜変更しても構わない。また、各パイプ部２４に設けられる吐出口２４ａの数も適宜変更して構わない。
【００３８】
図５は、本発明の実施形態に係る入浴装置１において、浴槽１１内の湯温を上げるために備えられる制御系の構成を示すブロック図である。図５に示すように、入浴装置１は、例えばマイコン等によって構成される制御部３０を備える。制御部３０は、上述の操作部１７を介して入力された指示にしたがって入浴装置１の各部を制御する。
【００３９】
また、入浴装置１は、浴槽１１に溜められた湯の温度を測定する温度センサー３１を備える。温度センサー３１は、１つでもよいが複数でもよい。温度センサー３１によって得られた情報は、制御部３０に入力される。入浴装置１は、上述のように、浴槽１１内に湯を供給するための給湯装置３２を備える。給湯装置３２は、上述の撹拌手段２０に入浴者が入浴するのに適した適温水よりも高い温度の高温水を供給可能になっている。制御部３０は、この給湯装置３２の制御を行う。入浴装置１は、給湯装置３２から撹拌手段２０に湯を供給するための配管３４（図４（ｂ）参照）の途中に設けられた止水栓３３を備える。止水栓３３は、例えば電磁弁によって構成され、制御部３０は止水栓３３の制御も行う。なお、給湯装置３２は、入浴装置１自身には含まれるものではなく、入浴装置１に後付けされるものであってよい。
【００４０】
ここで、図６を参照しながら、入浴装置１において、浴槽１１内に入浴者Ｍが居る状態で、浴槽１１内の湯温を上げる手順の一例について説明する。
【００４１】
例えば、介助者が操作部１７を操作して、浴槽１１内の湯の温度を設定温度Ｔ０まで上げる指示を出すと、制御部３０は、その時点における浴槽１１内の湯の温度Ｔ１を測定する（ステップＳ１）。そして、制御部３０は、測定された湯の温度Ｔ１が目標の温度Ｔ０よりも低いか否かを確認する（ステップＳ２）。測定温度Ｔ１が目標の温度Ｔ０以上である場合には（ステップＳ２でＮｏ）、湯の温度を上げる必要がないために、制御部３０は、湯温を上げるための処理を実行しない。なお、湯温を上げるための処理を実行しない場合には、その旨を操作部１７に含まれる表示パネル等を利用して報知するのが好ましい。
【００４２】
測定温度Ｔ１が目標の温度Ｔ０より低い場合には（ステップＳ２でＹｅｓ）、制御部３０は、止水栓３３を開く処理を行い、給湯装置３２から高温水（例えば５０℃を超える湯が好ましい）を撹拌手段２０に向けて供給させる（ステップＳ４）。これにより、吐出口２４ａ（図４参照）から熱い湯が吐出する。吐出口２４ａからの湯の吐出により羽根部２５が回動するために浴槽１１内の湯が撹拌される。この結果、浴槽１１内の湯全体の温度を均一に上げられる。
【００４３】
吐出口２４ａは、小径で分散配置されており、吐出口２４ａから吐出した湯は直ぐに撹拌されるために、吐出口２４ａから吐出された湯が入浴者Ｍに到達する際には安全な温度となる。また、吐出口２４ａと浴槽１１内の入浴者Ｍとの間には、担架Ｔや担架台１３が存在する。この点からも、入浴者Ｍが熱い湯に直接晒されることは避けられる。なお、入浴者Ｍが熱い湯に直接晒されることは避けるための介在物が別途配置されても構わない。
【００４４】
制御部３０は、止水栓３３を開く処理を行うと、浴槽１１内の湯の温度Ｔ２の測定を開始し（ステップＳ４）、当該温度Ｔ２が目標の温度Ｔ０に到達したか否かを監視する（ステップＳ５）。温度Ｔ２が目標の温度Ｔ０よりも低い場合には（ステップＳ５でＮｏ）、吐出口２４ａから熱い湯の吐出が継続される。一方、温度Ｔ２が目標の温度Ｔ０に到達した場合には（ステップＳ５でＹｅｓ）、制御部３０は、浴槽１１内の湯温をそれ以上上げる必要がないので、止水栓３３を閉じる処理を実行する（ステップＳ６）。これにより、浴槽１１内に入浴者Ｍが居る状態で、浴槽１１内の湯温を上げる処理が終了する。
【００４５】
なお、以上では、介助者が操作部１７を介して目標温度Ｔ０を指示した後は、入浴装置１が、浴槽１１内の湯の温度を目標温度Ｔ０に自動的に上げる構成とした。しかし、これは一例にすぎない。例えば、特に目標の温度を設定することなく、介助者が、入浴者の意見を聞きながら、操作部１７等を操作しながら、浴槽１１内の湯の温度を要介助者の好みの温度に上げるようにしてもよい。また、以上では、止水栓３３の開閉制御により、高温水の供給とストップを切り換える構成としたが、これに限らず、例えば高温水を供給するポンプを制御して高温水の供給とストップを切り換えるようにしてもよい。
【００４６】
入浴装置１は、かなり熱い湯を浴槽１１内に安全に供給できるために、少量の湯の供給で素早く浴槽１１内の湯全体の温度を目標の温度に上げられる。また、浴槽１１内に吐出された熱い湯を撹拌する撹拌手段２０が、吐出口２４ａから吐出される湯の流れを利用して作動する構成であるために、入浴装置１の構造が複雑になったり大型化したりするのを避けられる。
【００４７】
また、本実施形態の構成によれば、冬季等において、浴槽１１内の湯を最初低めの温度に設定しておき、湯によって入浴者の体が温まった時点で湯温を上げるという手順を容易且つ安全に行える。このために、入浴者に快適な入浴タイムを提供可能である。
＜その他＞
【００４８】
以上に示した実施形態は、本発明の例示にすぎない。以上に示した実施形態の構成は、本発明の技術的思想を超えない範囲で適宜変更されて構わない。
【００４９】
例えば、以上に示した実施形態では、撹拌手段２０が吐出口２４ａを備える構成とした。ただし、これは一例にすぎない。すなわち、吐出口２４ａは、撹拌手段とは別の部材に設けられても構わない。例えば、図７に示すような構成を採用してもよい。図７は、本発明の実施形態に係る入浴装置１の変形例を説明するための概略図である。図７（ａ）は変形例に係る構成の上面図、図７（ｂ）は図７（ａ）のＢ−Ｂ位置における矢視図である。  
【００５０】
図７に示す変形例においては、浴槽１１の底壁１１ａに、高温水を吐出する吐出口となる複数（例えば４つ）の噴流ノズル４１が設けられている。そして、複数の噴流ノズル４１上に、複数（例えば４つ）の撹拌用の羽根部４２ａを備える回動体４２（撹拌手段）が配置されている。回動体４２は、底壁１１ａに固定される軸部４３に対して回動可能に取り付けられている。噴流ノズル４１から湯（高温水）が吐出されると、湯の流れによって回動体４２が回動する。これにより、浴槽１１内の湯が羽根部４２ａによって撹拌される。本変形例でも、上述した本実施形態の入浴装置１と同様の効果が期待できる。なお、噴流ノズル４１内には、浴槽１１内の湯が噴流ノズル４１を介して高温水用の配管に逆流するのを防止する逆止弁が設けられるのが好ましい。これにより、配管の衛生面を向上できる。
【００５１】
なお、以上に示した実施形態及び変形例では、撹拌手段が吐出口から吐出される湯の流れを利用して作動する構成としたが、本発明を実現する構成は、これに限定される趣旨ではない。例えば、撹拌手段は、モーター等を電気的な駆動源を利用して作動する構成であっても構わない。また、吐出口２４ａから吐出した湯を撹拌する撹拌手段は、回動する羽根に限定されず、例えば、空気を噴出するノズル等であっても構わない。
【００５２】
また、以上に示した実施形態及び変形例では、吐出口及び撹拌手段を浴槽１１の底部に設ける構成としたが、これに限らず、場合によっては、吐出口及び／又は撹拌手段は浴槽１１の側部に設けられても構わない。例えば、浴槽１１内に浸かる担架Ｔの背もたれに対向する側部に、吐出口及びまたは撹拌手段が配置されてもよい。
【００５３】
その他、以上においては、要介助者を担架に載せた状態で入浴させる入浴装置に本発明が適用される場合を示したが、本発明は、要介助者を椅子部に座らせた状態で入浴させる入浴装置等、他の入浴装置に適用されて良いのは当然である。
【符号の説明】
【００５４】
１  入浴装置
１１  浴槽
１１ａ  底壁
１３  担架台
２０  撹拌手段
２１  回動軸部
２４  パイプ部
２４ａ  吐出口
２５  羽根部
４１  噴流ノズル（吐出口）
４２  回動体（撹拌手段）
４２ａ  羽根部
Ｍ  入浴者
【図１】
2016007420.tif 000003
【図２】
2016007420.tif 000004
【図３】
2016007420.tif 000005
【図４】
2016007420.tif 000006
【図５】
2016007420.tif 000007
【図６】
2016007420.tif 000008
【図７】
2016007420.tif 000009